(57)【要約】      （修正有）【課題】装着が容易で、優れた装着感を得ることができるエクステンション及びその装着方法を提供する。【解決手段】一端側を揃えて束ねた毛束１と、該毛束１の一端側に融着して該毛束を纏める樹脂部材２とを備える。樹脂部材２は頭髪に融着可能で、樹脂部材２を頭髪に融着させた場合において融着部分に溶剤を付着させることによって毛束１を取り外すことが可能なポリアミド樹脂からなり、複数本の頭髪を挿通可能な管状とし、軸方向に切欠け２ａや折り目を設ける。【選択図】図１
2007126805.tif 000002
【特許請求の範囲】
【請求項１】
一端側を揃えて束ねた毛束と、該毛束の一端側に融着して該毛束を纏める樹脂部材とを備え、
該樹脂部材は頭髪に融着可能な樹脂からなり、複数本の頭髪を挿通可能とする挿通部が設けられていることを特徴とするエクステンション。
【請求項２】
前記挿通部は管形状とされていることを特徴とする請求項１記載のエクステンション。
【請求項３】
前記挿通部は付け根側で毛束の幅に近く、毛束の延在方向に径大されていることを特徴とする請求項２記載のエクステンション。
【請求項４】
挿通部は軸方向に切欠けを有していることを特徴とする請求項１乃至３のいずれか１項記載のエクステンション。
【請求項５】
前記挿通部は軸方向に折り目が設けられていることを特徴とする請求項１乃至４のいずれか1項記載のエクステンション。
【請求項６】
樹脂部材は、該樹脂部材を頭髪に融着させた場合において融着部分に溶剤を付着させることによって毛束を取り外すことが可能な樹脂からなることを特徴とする請求項１乃至５のいずれか１項記載のエクステンション。
【請求項７】
一端側を揃えて束ねた毛束と、該毛束の一端側に融着して該毛束を纏める樹脂部材とを備え、該樹脂部材は頭髪に融着可能な樹脂からなり、複数本の頭髪を挿通可能な挿通部が設けられたエクステンションの該挿通部に複数本の頭髪を挿通する挿通工程と、
該頭髪が挿通された該挿通部を毛束に融着させる融着工程と、
を備えることを特徴とするエクステンションの装着方法。
【発明の詳細な説明】
【技術分野】
【０００１】
本発明は、人毛や合成繊維等からなる毛束を頭髪に取付けるエクステンション及びその装着方法に関する。
【背景技術】
【０００２】
近年、美容界における新たなヘアアレンジとして、「エクステンション」と呼ばれるつけ毛が流行している。このエクステンションは、様々な色に染められた人毛や合成繊維等からなる毛束を頭髪に取付けるものであり、自分の頭髪を染めることなく、気軽にヘアアレンジを楽しむことができるため、人気を博している。
【０００３】
エクステンションを頭髪に取付けるために、従来から各種の方法が提案されている。例えば、特許文献１〜３には、熱収縮チューブ内に毛束の一端と頭髪の一端とを挿入した後、アイロンやドライヤー等で加熱して熱収縮チューブを収縮させることによって、頭髪にエクステンションを取付ける方法が記載されている。
【特許文献１】特開２００４−３１０７号公報
【特許文献２】特開２００５−３６３３６号公報
【特許文献３】実用新案公報  登録第３１００５０３号
【０００４】
また、特許文献４には、金属製のリングに毛束を結びつけたエクステンションが提案されている。このエクステンションでは、毛束が結びつけられたリング内に頭髪を挿通させ、リングをペンチで押しつぶすことによって、頭髪に毛束を取付けることができる。
【特許文献４】特開２００４−３２３９８５号公報
【０００５】
さらに、従来よりグルーといわれる膠のような樹脂を用いてエクステンションを頭髪に融着させることも行われている。この方法では、頭髪の先端部とエクステンションの先端部とを重ね合わせ、その重ね合わせ部分にグルーを置き、グルーガンと呼ばれる専用の加熱装置によって両側から挟みこむようにして加熱して頭髪及びエクステンションと融着させて取付ける。
【発明の開示】
【発明が解決しようとする課題】
【０００６】
しかし、上記特許文献１〜３の熱収縮チューブを用いたエクステンションでは、複数本の頭髪の一端とエクステンションの一端の両方を狭い熱収縮チューブに挿通しなければならず、その作業に熟練を要し、時間もかかる。
【０００７】
この点、特許文献４の金属環を用いたエクステンションでは、予め金属環に毛束が結び付けてあるため、複数本の頭髪の先端を金属環に結びつけるだけで取付けることができる。しかし、金属環に頭髪を結びつけるのは、やはり熟練を要する。また、固い金属環が頭髪に結び付けられるため、異物感があり、重くて装着感が悪くなる。
【０００８】
また、グルーと呼ばれる樹脂を用いたエクステンションでは、軽くて異物感も少なく、優れた装着感は得られるものの、毛束を頭髪に融着させる際、樹脂から毛束や頭髪が滑って逃げやすく、確実に毛束を頭髪に融着させるためには、かなりの熟練を要する。樹脂の量を多くすれば融着作業は容易となるが、融着部分に大きな「だま」ができてしまい、櫛で梳くときに引っかかりやすくなるだけでなく、せっかくの優れた装着感が損なわれてしまう。
【０００９】
本発明は、上記従来の実情に鑑みてなされたものであって、装着が容易で、優れた装着感を得ることができるエクステンション及びその装着方法を提供することを解決すべき課題としている。
【課題を解決するための手段】
【００１０】
発明者は、グルーとよばれる樹脂を用いたエクステンションにおいて問題となっていた、「毛束を頭髪に融着させる作業の際、樹脂から毛束や頭髪が滑って逃げやすい」という問題を解決するため、毛束の一端側を樹脂で予め融着しておくことを考えた。こうすることにより、毛束が樹脂から滑って逃げることを防ぐことができる。そして、さらに毛束に融着させようとする頭髪が融着作業中に滑って逃げないようにするため、樹脂に頭髪を挿通可能とする挿通部を設けることを考えた。こうすれば、挿通部に頭髪を挿通した後、挿通部を融着させることにより、容易かつ確実に毛束と頭髪とを樹脂によって溶着させることができる。また、こうであれば必要以上に樹脂を使用することもないため、樹脂の「だま」ができ難く、櫛どおりが良くなり、優れた装着感が得られる。
【００１１】
すなわち、本発明のエクステンションは、一端側を揃えて束ねた毛束と、該毛束の一端側に融着して該毛束を纏める樹脂部材とを備え、該樹脂部材は頭髪に融着可能な樹脂からなり、複数本の頭髪を挿通可能とする挿通部が設けられていることを特徴とする。
【００１２】
本発明のエクステンションにおいて、挿通部の形状は複数の頭髪が挿通可能であればよく、管形状としたり、環形状としたりすることができる。挿通部には軸方向に切欠けを設けることが好ましい。こうであれば、切欠けから頭髪を挿通部内に収めることが可能となり、挿通部への頭髪の挿通を容易かつ迅速に行うことができる。
【００１３】
挿通部を管形状とする場合において、挿通部を毛束の延在方向に径大とすることが好ましい。こうであれば、複数本の頭髪を指で摘んで挿通部に挿通したり、頭髪を引っ掛けるための鍵部が設けられたニードルを用いて挿通部に挿通したりする場合、指やニードルを挿通部に挿入して作業を行うことができるため、挿通作業を容易かつ迅速に行うことができる。
【００１４】
また、挿通部は軸方向に折り目が設けられていることも好ましい。こうであれば、挿通部に挿入した頭髪を挿通部と融着する際、折り目に沿って折りたたまれながら融着させることとなるため、融着後の形状が一定となり、偏って融着することを防止することができる。なお、ここで折り目とは、折りたたまれる方向を案内するための全ての手段をいい、例えば挿通部の厚さを軸方向に直線状に薄い部分を設けたり、挿通部の軸方向の両端にノッチを設けたり、あらかじめ屈曲させて癖をつけておいたりすることなどが挙げられる。
【００１５】
また、樹脂部材は、該樹脂部材を頭髪に融着させた場合において融着部分に溶剤を付着させることによって毛束を取り外すことが可能とする樹脂からなることが好ましい。こうであれば、頭髪に取付けたエクステンションの融着部分に溶剤を付着させるだけで、毛束を容易に取り外すことができる。
【００１６】
本発明のエクステンションは、次の方法で頭髪に装着することができる。すなわち、本発明のエクステンションの装着方法は、一端側を揃えて束ねた毛束と、該毛束の一端側に融着して該毛束を纏める樹脂部材とを備え、該樹脂部材は頭髪に融着可能な樹脂からなり、複数本の頭髪を挿通可能な挿通部が設けられたエクステンションの該挿通部に複数本の頭髪を挿通する挿通工程と、該頭髪が挿通された該挿通部を毛束に融着させる融着工程とを備えることを特徴とする。
【発明を実施するための最良の形態】
【００１７】
以下本発明についての実施形態について述べる。
本発明のエクステンションの毛束に用いられる素材としては、人毛の他、ナイロンやポリエステル等の高分子繊維からなる人工毛を用いることもできる。これらの毛束は一端側が切りそろえられ、樹脂によって融着される。
【００１８】
樹脂としては、従来よりグルーとして用いられていたポリアミド系樹脂、酢酸ビニル系樹脂等の低温で溶融可能な樹脂を用いることができる。ポリアミド系樹脂は、酢酸ビニル系樹脂に比べて、熱に強いという利点がある。また、ポリアミド系樹脂はアルコールによって膨潤するため、一端装着したエクステンションの溶着部分にアルコールを付着させて、エクステンションを簡単に取り外すことができる。一方、酢酸ビニル系樹脂は柔らかいため、異物感が少なく装着感に優れている。目的に応じて、適宜樹脂の素材を選択することができる。
【００１９】
毛束への樹脂の融着は、板状の樹脂片を切りそろえた毛束の一端に置き、グルーガンと呼ばれる融着装置や加熱されたコテ等を用いて行うことができる。こうしてグルーガン等によって毛束の一端に樹脂片を融着させた後、ドライヤー等で加熱しながら、頭髪を挿通するための挿通部を形成させる。また、グルーガンやドライヤー等を用いることなく、金型を用い、毛束をセットした金型へ射出成型することによって挿通部が設けられたエクステンションを成型することもできる。
【００２０】
このようにして製造された挿通部付のエクステンションは、次のようにして頭髪に装着される。すなわち、まず、挿通工程として複数本の頭髪をエクステンションの挿通部に挿通させる。このとき、頭髪を引っ掛けるための鍵部が設けられた専用のニードルを用いると、挿通工程を容易に行うことができる。こうして挿通部に頭髪が挿通された後、融着工程として、ドライヤーで加熱したり、超音波や加熱によってグルーを溶融するグルーガンを用いて頭髪が挿通された挿通部を毛束に融着させる。
【００２１】
以下、本発明をさらに具体化した実施例について図面を参照しつつ説明する。
【００２２】
（実施例１）
実施例１のエクステンションは、図１に示すように、数十本の人毛が束ねられ、一端を切りそろえられた毛束１と、毛束１の切りそろえられた一端に融着された樹脂部材２とからなる。樹脂部材２はポリアミド系樹脂からなり、外径５ｍｍφ、長さ１０ｍｍの管形状をなし、軸方向に切欠け２ａを有している。毛束１の一端は樹脂部材２の切欠け２ａと対面する側に軸方向に融着されている。毛束１は染色することなく本来の色のままとすることもできるが、毛染め剤で茶色やピンク等、様々な色に染色しておいてもよい。
【００２３】
上記実施例１のエクステンションは、次のようにして製造することができる。すなわち、図２に示すように、断面が略半円の凹金型１０ａ及び凸金型１０ｂを用意し、凹金型１０ａの凹部に毛束１をセットし、さらにポリアミド樹脂からなるグルー３を載せる。そして、凸金型１０ｂでプレスしてグルー３と毛束２とを一体化させた後、金型から外す。そして更に、図３に示すように、成型されたグルー３
の両端を軟化温度下において近づけた後、グルーの軟化点以下の温度まで冷却し、図１に示す実施例１のエクステンションを得る。
【００２４】
こうして得られた実施例１のエクステンションは、以下のようにして頭髪に装着することができる。
（挿通工程）
まず、図４（ａ）に示すように、エクステンションを装着しようとする人の頭髪に近づけ、専用ニードル４の鍵部４ａに数十本の頭髪５を引っ掛ける。そして、専用ニードル４の柄４ｂの部分を切欠け２ａから嵌め込むことにより、柄４ｂを樹脂部材２に挿通状態とする（図４ｂ）。そして、専用ニードル４を引っ張り、樹脂部材２の穴に頭髪５を挿通させる（図４ｃ）。こうして、挿通工程が終了する。
【００２５】
（融着工程）
さらに、図５に示すように、超音波グルーガン６で樹脂部材２を挟み込み、図示しない超音波発生装置を駆動させ、樹脂部材２に超音波を伝達させる。これにより、樹脂部材２が頭髪５と毛束１に融着して一体化される。この融着工程においては、頭髪４が樹脂部材２に挿通された状態のままで行われるため、頭髪５が融着工程中に滑って逃げることはない。また、毛束１は樹脂部材２によって予め融着されているため、毛束５が樹脂部材２から滑って逃げることもない。このため、融着工程を容易かつ短時間に行うことができる。さらには、樹脂部材２を構成するポリアミド樹脂の使用量も融着に必要な最小限の量しか使用しないため、大きな「だま」ができることはない。このため、櫛どおりよく、装着感も良好となる。
【００２６】
なお、エクステンションを取り外したい場合は、頭髪５と毛束１の融着部分にエタノールを指等によって付着させ、軽くも揉み解す。これによって、融着している樹脂が膨潤し、毛束１を軽く引っ張ることによって、簡単に毛束１を取り外すことができる。
【００２７】
（実施例２）
実施例２のエクステンションは、図６に示すように、薄板状の樹脂部材１２を展開した場合、細長い略台形を連結した形状とされており、連結部分に折り目１２ａ、１２ｂが設けられている。また、折り目１２ａ、１２ｂに沿って折った状態では、図７に示すように、毛束１１の基端側で縮径され、毛束１１の延在方向に径大となる管形状とされ、切欠け１２ｃが形成される。
【００２８】
このエクステンションでは、挿通工程において、図８（ａ）に示すように、挿通部１２の径大方向から人差し指と親指を挿入して押し広げ、取り分けた頭髪ｈを摘んだ後、図８(Ｂ)に示すように、摘んだ髪を引っ張ることによって簡単に挿通部１２に頭髪ｈを挿通することができる。このため、実施例１のように、ニードル等の治具を使わなくても、頭髪を挿通部に挿通させることができる。このため、作業性が著しく向上し、さらに容易かつ迅速にエクステンションを装着することができる。
また、融着工程を終えた後のエクステンションの付け根の形状を毛束１１と毛束１１に幅に出来るだけ近くなるように細くする。、これにより、エクステンションの付け根側が被施術者に殆ど干渉しなくなる。他方、実施例１の形状では、付け根側の角部が施術者の頭皮に当って不快感を与えるおそれがある。
【００２９】
実施例２の変形例として、図９に示すように、折り目の代わりにノッチ１２ｄ〜１２ｆを入れてもよい。こうであれば、ノッチ１２ｄ〜１２ｆの部分から折り目が付き易くなり、実施例２と同様の効果が得られる。
また、他の変形例として、図１０に示すように、挿通部を扇形として、折り目を設けてもよい。このような形状とすることにより、融着工程を行った後の形状が丸みを帯びた形状となるため、挿通部の角が頭皮に当って施術者に不快感を与えることをさらに防止することができる。
【産業上の利用可能性】
【００３０】
本発明のエクステンション及びその装着方法は、装着が容易で、優れた装着感を得ることができるため、美容業において利用可能である。
【図面の簡単な説明】
【００３１】
【図１】実施例１のエクステンションの斜視図である。
【図２】エクステンション製造用金型の断面図である。
【図３】エクステンションの樹脂部材成型時の断面図である。
【図４】挿通工程を示す斜視図である。
【図５】融着工程を示す斜視図である。
【図６】実施例２のエクステンションの挿通部を展開した場合の平面図である。
【図７】実施例２のエクステンションの斜視図である。
【図８】実施例２のエクステンションに頭髪を挿入する場合の工程図である。
【図９】実施例２の変形例の挿通部を展開した場合の平面図である。
【図１０】実施例２の他の変形例の挿通部を展開した場合の平面図である。
【符号の説明】
【００３２】
１…毛束
２…樹脂部材（挿通部）
２ａ…切欠け
１２ａ、１２ｂ…折り目
【図１】
2007126805.tif 000003
【図２】
2007126805.tif 000004
【図３】
2007126805.tif 000005
【図４】
2007126805.tif 000006
【図５】
2007126805.tif 000007
【図６】
2007126805.tif 000008
【図７】
2007126805.tif 000009
【図８】
2007126805.tif 000010
【図９】
2007126805.tif 000011
【図１０】
2007126805.tif 000012